(57)【特許請求の範囲】
【請求項１】
複数の情報を提供する情報サービスシステムとのアクセスが可能な通信手段と、
スケジュールを入力するスケジュール入力手段と、
このスケジュール入力手段で入力されたスケジュールに関連して取得したい情報を前記情報サービスシステムが提供する複数の情報の中から選択する選択手段と、
前記スケジュール入力手段により入力されたスケジュールに対し前記選択手段によって選択された情報を指定するデータを付加して登録するスケジュール登録手段と、
前記通信手段によって情報サービスシステムにアクセスする時刻を設定するアクセス時刻設定手段と、
現在時刻が前記アクセス時刻設定手段によって設定された時刻に到達した場合に、前記通信手段によって情報サービスシステムから前記スケジュールに付加された指定データに対応する情報を取得する情報取得手段と、
を具備したことを特徴とする情報端末。
【請求項２】
前記アクセス時刻設定手段におけるアクセスする時刻は、前記スケジュール入力手段により入力されたスケジュールに対し設定されたスケジュールの日時データである、
ことを特徴とする請求項１記載の情報端末。
【発明の詳細な説明】
【０００１】
【発明の属する技術分野】
本発明は、例えばＰＤＡ(Personal Digital Assistants)に代表される通信機能を備えた小型電子手帳、スケジュールデータの管理可能な情報端末に関する。
【０００２】
【従来の技術】
近年、情報端末として通信機能を備えた携帯型の情報端末が実用化されているのと共に、様々な生活情報（ニュース、天気予報、タウン情報等）を提供する情報サービス会社（システム）の設立も盛んであり、携帯情報端末の通信機能によって、情報サービス会社が提供する情報を取得して利用することが実現している。
【０００３】
このような携帯情報端末において、ユーザ自身が入力したスケジュールデータと、前記情報サービスシステムから取得した情報とは、全く独立に登録されて管理される。
【０００４】
【発明が解決しようとする課題】
一方、スケジュールデータと情報サービスから取得した生活情報とは互いに強く関連する内容であることがあり、例えば知人との待ち合わせのスケジュールデータに対しては、その待ち合わせ場所のタウン情報を有効利用することができ、また、旅行のスケジュールデータに対しては、天気予報や交通情報を有効利用することができる。
【０００５】
しかしながら、前記従来の携帯情報端末にあっては、スケジュールデータと情報サービスから取得した情報とは独立に管理されるため、これらを１つのデータとして管理して利用するには、非常に複雑なデータ編集操作を行なわなければならない問題がある。
【０００６】
本発明は、前記のような問題に鑑みなされたもので、スケジュールデータと情報サービスから取得した情報とを、複雑なデータ編集操作を行う必要なく、容易に１つのデータとして管理し利用することが可能になる情報端末を提供することを目的とする。
【０００７】
【課題を解決するための手段】
すなわち、本発明の請求項１に係わる情報端末は、複数の情報を提供する情報サービスシステムとのアクセスが可能な通信手段と、スケジュールを入力するスケジュール入力手段と、このスケジュール入力手段で入力されたスケジュールに関連して取得したい情報を前記情報サービスシステムが提供する複数の情報の中から選択する選択手段と、前記スケジュール入力手段により入力されたスケジュールに対し前記選択手段によって選択された情報を指定するデータを付加して登録するスケジュール登録手段と、前記通信手段によって情報サービスシステムにアクセスする時刻を設定するアクセス時刻設定手段と、現在時刻が前記アクセス時刻設定手段によって設定された時刻に到達した場合に、前記通信手段によって情報サービスシステムから前記スケジュールに付加された指定データに対応する情報を取得する情報取得手段と、を具備したことを特徴とする。
【０００８】
また、本発明の請求項２に係わる情報端末は、請求項１に係わる情報端末であって、前記アクセス時刻設定手段におけるアクセスする時刻は、前記スケジュール入力手段により入力されたスケジュールに対し設定されたスケジュールの日時データであることを特徴とする。
【００１０】
つまり、本発明に係わる情報端末では、スケジュール入力手段によりスケジュールデータを入力すると、例えば当該スケジュールデータの入力時点において通信手段を介し情報サービスシステムから取得された情報、あるいは入力されたスケジュールデータの実行時期に対応して通信手段を介し情報サービスシステムから取得された情報が、スケジュールデータに付加されて登録され、必要に応じて表示等により出力されることになる。
【００１１】
【発明の実施の形態】
以下図面により本発明の実施の形態について説明する。
図１は本発明の実施の形態に係わる形態情報端末の電子回路の構成を示すブロック図である。
【００１２】
この携帯情報端末は、制御部１１を備えている。
制御部１１は、タッチパネル式の入力装置１２から入力制御部１３を介して入力される入力操作信号に基づき、当該制御部１１に予め記憶されているシステムプログラムに従って回路各部の動作制御を行なうもので、この制御部１１には、前記入力制御部１３の他、通信制御部１４、スケジュールデータ制御部１５、情報取得制御部１６、データ記憶部１７、現在時刻計時部（ＲＴＣ）１８、表示制御部１９、音声制御部２０が接続される。
【００１３】
前記タッチパネル式の入力装置１２は、前記表示制御部１９により表示制御される液晶表示部２１の表示画面に重ねて設けられ、当該入力装置１２からはそのタッチ操作位置に応じた電圧信号が出力され、制御部１１において表示画面上での座標位置が判断されるもので、これによりタッチパネル式入力装置１２のタッチ位置に対応する表示の内容から操作の内容が判断される。
【００１４】
通信制御部１４は、制御部１１からの指令によりアンテナ２２から電話無線局を介して情報サービス会社の通信システムに対してアクセスし、必要な情報を取得するもので、この通信制御部１４により取得された情報は、入力装置１２により入力されたスケジュールデータに付加されてデータ記憶部１７に記憶される。
【００１５】
スケジュールデータ制御部１５は、入力装置１２の操作に伴ない制御部１１においてスケジュールデータの登録処理を行なわせるためのスケジュール登録処理プログラムを予め記憶しているもので、このスケジュール登録処理プログラムは、制御部１１にて実行されるシステムプログラムのサブプログラムとして起動される。
【００１６】
なお、このスケジュールデータ制御部１５は、スケジュールデータに関連付けた情報サービス会社の指定とその情報の内容を指定するための情報サービス会社メニューテーブルや情報メニューテーブルも記憶している。
【００１７】
情報取得制御部１６は、前記スケジュール登録処理プログラムに基づくスケジュール登録処理に伴ない、当該スケジュールデータに関連付けられた情報を前記情報サービス会社から取得するための情報サービス取得処理プログラムを予め記憶しているもので、この情報サービス取得処理プログラムは、前記スケジュール登録処理プログラムのサブプログラムとして起動される。
【００１８】
データ記憶部１７は、前記スケジュール登録処理プログラムの実行に伴ない入力されたスケジュールデータや当該スケジュールデータに関連付けて情報サービス会社から取得された情報を対応付けして記憶するスケジュール登録エリアを備えている。
【００１９】
現在時刻計時部（ＲＴＣ）１８は、計時回路を備え、現在時刻を計時するもので、この現在時刻計時部１８による計時データに基づき、現在の日付，時刻，曜日が制御部１１において判断される。
【００２０】
表示制御部１９は、液晶表示部２１に対するコモンドライバ及びセグメントドライバを備えてなり、制御部１１から与えられる表示データに応じて液晶表示部２１の表示制御を行なう。
【００２１】
音声制御部２０は、音声入出力装置２３における音声信号の入出力制御を行なうもので、例えば制御部１１が電話モードに設定された場合には、通信制御部１４を介して電話無線局とアクセスされ、音声入出力装置２３による会話が行なえる。
【００２２】
図２は前記携帯情報端末のデータ記憶部１７におけるスケジュール登録エリアのデータフォーマットを示す図である。
データ記憶部１７のスケジュール登録エリアには、前記スケジュール登録処理プログラムの実行に伴ない入力されたスケジュールデータや当該スケジュールデータに関連付けて情報サービス会社から取得された情報が、スケジュールの実行時期を示す日付時刻データ，スケジュールの内容である内容データ，情報サービスの取得先を示す情報取得指定データ，指定された情報が取得されるとセットされる情報取得フラグ，取得された情報の記憶位置を示す情報データポインタの順で記憶され、複数の情報が記憶される場合には、各情報毎の情報取得指定データ，情報取得フラグ，情報データポインタが繰り返し記憶される。
【００２３】
そして、１つのスケジュールデータとその関連情報の記憶終了位置に終了コードが書き込まれる。
図３は前記携帯情報端末のスケジュール登録処理プログラムと共に記憶される情報サービス会社メニューテーブル及び情報メニューテーブルの一例を示す図であり、同図（Ａ）は情報サービス会社メニューテーブルを示す図、同図（Ｂ）はメイン情報メニューテーブルを示す図、同図（Ｃ）はサブ情報メニューテーブルを示す図である。
【００２４】
図３（Ａ）に示すように、情報サービス会社メニューテーブルには、複数の情報サービス会社の名称データが番号付けられて記憶される。図３（Ｂ）に示すように、メイン情報メニューテーブルには、各情報サービス会社毎にその提供する情報サービスの項目データが番号付けられて当該項目が指定された際の次処理へのコマンドと共に記憶される。図３（Ｃ）に示すように、サブ情報メニューテーブルには、前記メイン情報メニューテーブルの各項目毎にそのサブ項目データが番号付けられて当該項目が指定された際の次処理へのコマンドと共に記憶される。
【００２５】
図４は前記携帯情報端末の情報サービス取得処理プログラムと共に記憶される情報サービス会社アクセスデータを示す図である。
この情報サービス会社アクセスデータには、前記情報サービス会社メニューテーブル「図３（Ａ）参照」の会社番号に対応付けられて、各情報サービス会社毎のアクセス番号（電話番号）及びオートログイン用の通信手順（手順スクリプト）が記憶される。
【００２６】
次に、前記構成による携帯情報端末の動作について説明する。
図５は前記携帯情報端末によるスケジュール登録処理を示すフローチャートである。
【００２７】
図６は前記携帯情報端末によるスケジュール登録処理に伴なう情報サービス選択・入力処理を示すフローチャートである。
図７は前記携帯情報端末によるスケジュール入力処理に伴なう情報サービス取得処理を示すフローチャートである。
【００２８】
図８は前記携帯情報端末によるスケジュール入力処理に伴なうスケジュール及び情報入力画面の表示状態を示す図であり、同図（Ａ）はスケジュール入力画面におけるスケジュール入力状態を示す図、同図（Ｂ）はスケジュール入力画面における情報サービス選択状態を示す図、同図（Ｃ）はスケジュール入力画面におけるスケジュール及び情報の入力表示状態を示す図である。
【００２９】
まず、この携帯情報端末の電源投入後、液晶表示部２１にメニュー画面が表示された状態で、入力装置１２をタッチ操作してスケジュール登録モードに設定すると、スケジュールデータ制御部１５に記憶されているスケジュール登録処理プログラムが起動され、前記表示部２１には、例えば図８に示すように、日付，時間，内容，情報の項目を示すスケジュール入力画面が表示され、スケジュールデータの入力待ち状態となる（ステップＳ１）。
【００３０】
ここで、前記スケジュール入力画面に表示された各入力項目に従って、入力装置１２によりスケジュールの日付，時間，内容を入力し表示させた状態で、情報サービスから得られる情報を付加しないこのままのスケジュールデータとして登録する場合に、「登録」キー２１ａをタッチ操作すると、入力されたスケジュールデータがデータ記憶部１７内のスケジュール登録エリアに対しそのデータフォーマット（図２参照）に従って書き込まれ登録される（ステップＳ２→Ｓ３→Ｓ４）。
【００３１】
一方、前記ステップＳ１，Ｓ２の処理に従ってスケジュールの日付，時間，内容を入力し表示させた状態「図８（Ａ）参照」で、「登録」キー２１ａをタッチ操作しない場合には、図６における情報サービス選択・入力処理に移行する（ステップＳ２→Ｓ３→ＳＡ）。
【００３２】
この情報サービス選択・入力処理では、前記スケジュールデータ制御部１５ににおいてスケジュール登録処理プログラムのサブプログラムとして記憶されている情報サービス選択・入力処理プログラムが起動され、同スケジュールデータ制御部１５に記憶されている情報サービス会社メニューテーブル「図３（Ａ）参照」が読み込まれ、液晶表示部２１に対し情報サービス会社の選択画面として表示される（ステップＡ１）。
【００３３】
この情報サービス会社の選択画面において、例えば項目番号“１”に対応する“Ａネットサービス”を選択すると、そのメインメニューテーブル「図３（Ｂ）参照」が読み込まれ、液晶表示部２１に対し情報の種類の選択画面として表示される（ステップＡ２，Ａ３）。
【００３４】
この“Ａネットサービス”の情報種類選択画面（メインメニューテーブル）において、例えば項目番号“４”に対応する“タウン情報”を選択すると、当該タウン情報として得たい地域（エリア）を選択するためのサブメニューテーブル「図３（Ｃ）参照」が読み込まれ、例えば図８（Ｂ）に示すように、液晶表示部２１のスケジュール入力画面に対し、Ａネット・タウン情報のエリア選択画面としてウインドウ表示される（ステップＡ４，Ａ５→Ａ３）。
【００３５】
このように、前記ステップＡ３〜Ａ５の処理を繰り返し実行し、メインメニューテーブルから順次サブメニューテーブルを表示させてそのそれぞれのメニューテーブルにおいて所望の項目を選択すると、例えば“Ａネットサービス”→“タウン情報”→“新宿”と最終サブメニューまで選択した場合には、図８（Ｃ）に示すように、スケジュール入力画面に既に入力表示されたスケジュールデータに関連する第１の情報の見出しとして表示されると共に、前記データ記憶部１７におけるスケジュール登録エリアに対し第１の情報取得指定データ（図２参照）として書き込まれる（ステップＡ４，Ａ５→Ａ６）。
【００３６】
この後、さらに、第２の情報取得指定データを入力する際には、前記情報サービス選択・入力処理（ステップＡ１〜Ａ６）が繰り返し実行され、例えば“Ａネットサービス”→“検索”→“時刻表”→…とメニュー選択した場合には、図８（Ｃ）に示すように、第２の情報の見出しとして表示されると共に、前記データ記憶部１７におけるスケジュール登録エリアに対し第２の情報取得指定データ（図２参照）として書き込まれる（ステップＳ５→ＳＡ）。
【００３７】
こうして、前記スケジュール入力画面において、そのスケジュールデータに関連する第１の情報取得指定データ及び第２の情報取得指定データを入力表示させた状態で、「登録」キー２１ａをタッチ操作すると、前記入力されたスケジュールデータがデータ記憶部１７内のスケジュール登録エリアに対しそのデータフォーマット（図２参照）に従って書き込まれ登録される（ステップＳ５→Ｓ６）。
【００３８】
そして、図７における情報サービス取得処理に移行する（ステップＳＢ）。
この情報サービス取得処理では、情報取得制御部１６に記憶されている情報サービス取得処理プログラムが起動され、まず、データ記憶部１７のスケジュール登録エリアに記憶された第１情報取得指定データが読み出される（ステップＢ１）。
【００３９】
すると、前記第１情報取得指定データ“Ａネットサービス”→“タウン情報”→“新宿”に応じて、情報取得制御部１６に登録されている情報サービス会社アクセスデータ（図４参照）に従い、通信制御部１４からアンテナ２２を介して“Ａネットサービス”との電話によるアクセスが開始される（ステップＢ２）。
【００４０】
すると、前記第１情報取得指定データの各選択メニューに対応した次のメニュー処理へのコマンドが順次実行され、指定された情報である新宿のタウン情報が“Ａネットサービス”から取得される（ステップＢ３〜Ｂ６）。
【００４１】
一方、前記情報取得指定データに対応して指定された情報サービス会社の通信アクセスが行なわれる状態で、その選択メニューに対応するコマンドの実行に際し、指定されたコマンドに対応する情報が存在しない場合には、エラーとして判断され、液晶表示部２１に対しエラーメッセージが表示される（ステップＢ３，Ｂ４→ＲＥＴＵＲＮ）。
【００４２】
そして、前記ステップＢ３〜Ｂ６の処理を経て、第１情報取得指定データにて指定された新宿のタウン情報がＡネットサービスより取得されると、その取得情報がデータ記憶部１７の空きエリアに書き込まれると共に、その記憶先頭アドレスがスケジュール登録エリアのデータフォーマット（図２参照）に従って、第１情報データポインタとして書き込まれる（ステップＢ７）。
【００４３】
すると、前記データ記憶部１７におけるスケジュール登録エリアの第１情報取得フラグがセットされ、対応する情報サービスが取得済みであることが示される（ステップＢ８）。
【００４４】
こうして、前記第１情報取得指定データに対応する情報サービスが取得されると、さらに、前記データ記憶部１７のスケジュール登録エリアに記憶されている第２情報取得指定データ“Ａネットサービス”→“検索”→“時刻表”→…に従って前記情報サービス取得処理（ステップＢ１〜Ｂ８）が繰り返し実行され、対応する情報サービスが取得される（ステップＳ７→ＳＢ）。
【００４５】
これにより、前記図５におけるスケジュール登録処理に伴ない、図６における情報サービス選択・入力処理及び図７における情報サービス取得処理を行なうことで、データ記憶部１７のスケジュール登録エリアに対し、任意のスケジュールデータと共にその関連する情報が所望の情報サービス会社から自動的に取得され、互いに対応付けられて記憶されるようになる。
【００４６】
図９は前記携帯情報端末におけるスケジュールデータの出力表示状態を示す図であり、同図（Ａ）はスケジュールデータの基本表示画面を示す図、同図（Ｂ）はスケジュールデータに関連付けて取得された情報サービスのウインドウ表示状態を示す図である。
【００４７】
すなわち、データ記憶部１７のスケジュール登録エリアに記憶されたスケジュールデータの出力表示モードにおいて、例えば図９（Ａ）に示すように、スケジュールの日付，時間，内容の各データと共に、第１及び第２の情報の見出し表示がなされた状態で、第１の情報見出し“Ａネット・タウン情報・新宿”に対応して表示されている「情報」キー２１ｂをタッチ操作すると、前記スケジュール登録エリアに記憶されている第１情報データポインタ（図２参照）に従って当該第１の情報の記憶アドレスが認識され、対応する記憶エリアに記憶されているＡネットサービスから取得された新宿のタウン情報が読み出され、図９（Ｂ）に示すように、液晶表示部２１のスケジュール表示画面に対しにウインドウ表示される。
【００４８】
なお、前記液晶表示部の各画面表示状態において、共に表示されている「△」キー，「▽」キーは、前画面表示，次画面表示に切り換えるための画面切り換えキーである。
【００４９】
したがって、前記構成の携帯情報端末によれば、スケジュール入力画面において、スケジュールデータの日付・時間・内容を入力すると、情報サービス会社からその関連情報を得るためのメニュー画面が順次表示され、当該メニュー画面に従って、例えば“Ａネット”→“タウン情報”→“新宿”として指定すると、第１の情報の見出しとして前記入力されたスケジュールデータと共に表示され第１情報取得指定データとしてデータ記憶部１７のスケジュール登録エリア（図２参照）に書き込まれる。そして、前記入力表示されたスケジュールデータを「登録」キー２１ａを操作して前記スケジュール登録エリアに登録すると、前記第１情報取得指定データに従って“Ａネットサービス”との通信アクセスが自動的に行なわれ、指定された新宿のタウン情報が取得されると共に、前記スケジュール登録エリアにその取得格納エリアを示す第１情報データポインタ及び情報取得済みフラグが関連付けられて記憶されるので、スケジュールデータと情報サービスから取得した情報とを容易に１つのデータとして管理することができ、例えばスケジュールデータの出力表示に際し情報サービスより取得されて記憶されている関連情報を簡単にウインドウ表示させて有効に利用することができる。
【００５０】
なお、前記実施の形態では、図５におけるスケジュール登録処理に基づき説明したように、スケジュールデータを入力すると共に、当該スケジュールデータに関連する情報取得指定データを入力し、「登録」キー２１ａを操作してスケジュールの登録を指示すると、そのスケジュールデータの登録時点で情報サービス取得処理が起動され、前記情報取得指定データに従った情報サービス会社から対応する情報が取得されて記憶される構成としたが、登録されたスケジュールデータを実際に実行する際、つまり、スケジュールとして登録された時刻が来た時点で、前記情報取得指定データに従って情報サービス会社からリアルタイムに対応する情報を取得する構成としてもよい。
【００５１】
図１０は前記携帯情報端末においてスケジュール実行時に情報サービスを取得する場合のスケジュール登録処理を示すフローチャートである。
図１１は前記携帯情報端末においてスケジュール実行時に情報サービスを取得する場合のスケジュール時刻到達時処理を示すフローチャートである。
【００５２】
図１２は前記携帯情報端末においてスケジュール実行時に情報サービスを取得する場合のスケジュールデータの出力表示画面を示す図であり、同図（Ａ）はスケジュール時刻到達前のスケジュールデータの基本表示画面を示す図、同図（Ｂ）はスケジュール時刻到達時以降のスケジュールデータの基本表示画面を示す図、同図（Ｃ）はスケジュール時刻到達時以降においてスケジュールデータに関連付けて取得された情報サービスのウインドウ表示状態を示す図である。
【００５３】
すなわち、図１０におけるスケジュール登録処理において、前記図５におけるスケジュール登録処理のステップＳ１〜Ｓ５と同様にして、スケジュール入力画面にて任意のスケジュールデータ“１９９５年９月２７日／７：００ＡＭ／北海道へ旅行…”を入力すると共に（ステップＣ１，Ｃ２）、そのスケジュールデータに関連した情報サービスを取得するための情報取得指定データ“Ａネット／天気予報／北海道地方”を選択・入力して「登録」キーを操作すると（ステップＣ３→ＣＡ，Ｃ４）、前記入力されたスケジュールの日時データ“１９９５年９月２７日／７：００ＡＭ”が情報サービスへのアクセス時刻として設定された後、データ記憶部１７のスケジュール登録エリアにおけるデータフォーマット（図２参照）に従って前記入力されたスケジュールデータが登録される（ステップＣ５，Ｃ６）。
【００５４】
ここで、前記データ記憶部１７のスケジュール登録エリアに登録されたスケジュールデータのスケジュール時刻到達前の状態では、当該スケジュールデータに対し情報取得指定データのみが付加されており、実際の情報サービスは取得されていないので、当該スケジュールデータを出力表示させると、図１２（Ａ）に示すように、対応するスケジュールデータと共にその情報取得指定データの見出しのみ表示される。
【００５５】
そして、現在時刻計時部（ＲＴＣ）１８にて計時される現在時刻が、スケジュールデータのスケジュール時刻“１９９５年９月２７日／７：００ＡＭ”に到達して一致すると、前記図７における情報サービス取得処理（ステップＢ１〜Ｂ８）と同様にして、前記スケジュールデータと共に登録された情報取得指定データに従って、通信制御部１４を介しＡネットサービスとのアクセスが行なわれ、その時点における北海道地方の天気予報が取得されデータ記憶部１７に保存される（ステップＤＢ）。
【００５６】
こうして、前記情報取得指定データに従った情報サービスが取得され、データ記憶部１７の空きエリアに保存されると共に、その記憶先頭アドレスがスケジュール登録エリア（図２参照）の情報データポインタとして記憶され、情報取得フラグがセットされると、次のスケジュール登録エリアに記憶されているスケジュール時刻が、次の情報サービスへのアクセス時刻として更新セットされる（ステップＤ１→Ｄ２）。
【００５７】
ここで、前記データ記憶部１７のスケジュール登録エリアに登録されたスケジュールデータのスケジュール時刻到達時以降の状態では、当該スケジュールデータに対しその情報取得指定データに基づき取得されたＡネットサービスによる北海道地方の天気予報の情報の保存先を示す情報データポインタ及び情報取得フラグが付加されているので、当該スケジュールデータを出力表示させると、図１２（Ｂ）に示すように、対応するスケジュールデータと共にその情報取得指定データの見出し及びその見出しに基づき取得された情報を出力表示させるための「情報」キー２１ｂが表示される。
【００５８】
そして、前記スケジュールデータのスケジュール時刻到達時以降の状態で、情報見出し“Ａネット・天気予報・北海道地方”に対応して表示されている「情報」キー２１ｂをタッチ操作すると、前記スケジュール登録エリアに記憶されている情報データポインタ（図２参照）に従って当該天気情報の記憶アドレスが認識され、対応する記憶エリアに記憶されているＡネットサービスから取得された北海道地方の天気予報が読み出され、図１２（Ｃ）に示すように、液晶表示部２１のスケジュール表示画面に対しにウインドウ表示される。
【００５９】
すなわち、前記図１０〜図１２を参照して説明した他の実施形態の場合には、登録されたスケジュールデータを実際に実行する際、つまり、スケジュールとして登録された時刻が来た時点で、当該スケジュールデータに関連して選択された情報取得指定データに従って情報サービス会社からリアルタイムに対応する情報が取得されるので、スケジュール実行時点における最新の情報サービスを得て有効利用することができる。
【００６０】
さらに、前記実施の形態では、スケジュールデータの登録時、あるいは、登録されたスケジュールデータの実行時において、当該スケジュールデータに付加して登録した情報取得指定データに従って情報サービス会社より関連する情報を取得する構成としたが、スケジュールデータの登録時以降、一定時間毎に関連する情報サービスを取得して利用する構成としてもよい。
また、情報サービスの取得時刻を、任意の時刻に設定する構成としてもよい。
【００６１】
【発明の効果】
以上のように、本発明によれば、スケジュール入力手段によりスケジュールデータを入力し、選択手段により情報サービスシステムが提供する複数の情報の中から取得したい情報を選択し、通信手段によって情報サービスシステムにアクセスする時刻を設定すると、例えば入力されたスケジュールデータの実行時期に対応して通信手段を介し情報サービスシステムから選択した情報を取得することができるので、スケジュール実行時点における最新の情報サービスを得て有効利用することができるようになる。
【図面の簡単な説明】
【図１】本発明の実施の形態に係わる形態情報端末の電子回路の構成を示すブロック図。
【図２】前記携帯情報端末のデータ記憶部におけるスケジュール登録エリアのデータフォーマットを示す図。
【図３】前記携帯情報端末のスケジュール登録処理プログラムと共に記憶される情報サービス会社メニューテーブル及び情報メニューテーブルの一例を示す図であり、同図（Ａ）は情報サービス会社メニューテーブルを示す図、同図（Ｂ）はメイン情報メニューテーブルを示す図、同図（Ｃ）はサブ情報メニューテーブルを示す図。
【図４】前記携帯情報端末の情報サービス取得処理プログラムと共に記憶される情報サービス会社アクセスデータを示す図。
【図５】前記携帯情報端末によるスケジュール登録処理を示すフローチャート。
【図６】前記携帯情報端末によるスケジュール登録処理に伴なう情報サービス選択・入力処理を示すフローチャート。
【図７】前記携帯情報端末によるスケジュール入力処理に伴なう情報サービス取得処理を示すフローチャート。
【図８】前記携帯情報端末によるスケジュール入力処理に伴なうスケジュール及び情報入力画面の表示状態を示す図であり、同図（Ａ）はスケジュール入力画面におけるスケジュール入力状態を示す図、同図（Ｂ）はスケジュール入力画面における情報サービス選択状態を示す図、同図（Ｃ）はスケジュール入力画面におけるスケジュール及び情報の入力表示状態を示す図。
【図９】前記携帯情報端末におけるスケジュールデータの出力表示状態を示す図であり、同図（Ａ）はスケジュールデータの基本表示画面を示す図、同図（Ｂ）はスケジュールデータに関連付けて取得された情報サービスのウインドウ表示状態を示す図。
【図１０】前記携帯情報端末においてスケジュール実行時に情報サービスを取得する場合のスケジュール登録処理を示すフローチャート。
【図１１】前記携帯情報端末においてスケジュール実行時に情報サービスを取得する場合のスケジュール時刻到達時処理を示すフローチャート。
【図１２】前記携帯情報端末においてスケジュール実行時に情報サービスを取得する場合のスケジュールデータの出力表示画面を示す図であり、同図（Ａ）はスケジュール時刻到達前のスケジュールデータの基本表示画面を示す図、同図（Ｂ）はスケジュール時刻到達時以降のスケジュールデータの基本表示画面を示す図、同図（Ｃ）はスケジュール時刻到達時以降においてスケジュールデータに関連付けて取得された情報サービスのウインドウ表示状態を示す図。
【符号の説明】
１１  …制御部、
１２  …入力装置、
１３  …入力制御部、
１４  …通信制御部、
１５  …スケジュールデータ制御部、
１６  …情報取得制御部、
１７  …データ記憶部、
１８  …現在時刻計時部（ＲＴＣ）、
１９  …表示制御部、
２０  …音声制御部、
２１  …液晶表示部、
２１ａ…「登録」キー、
２１ｂ…第１の「情報」キー、
２１ｃ…第２の「情報」キー、
２２  …アンテナ、
２３  …音声入出力装置。
【図１】
0003764936.tif 000002
【図２】
0003764936.tif 000003
【図３】
0003764936.tif 000004
【図４】
0003764936.tif 000005
【図５】
0003764936.tif 000006
【図６】
0003764936.tif 000007
【図７】
0003764936.tif 000008
【図８】
0003764936.tif 000009
【図９】
0003764936.tif 000010
【図１０】
0003764936.tif 000011
【図１１】
0003764936.tif 000012
【図１２】
0003764936.tif 000013